(57)【特許請求の範囲】
【請求項１】
複数の医療用装置の装置名、所在地、及び使用予定日時を含む第１情報が記憶される第１の記憶部と、
前記複数の医療用装置の少なくとも１つの故障に係る第２情報および前記第１の記憶部に記憶されている前記第１情報に基づいて、故障した前記医療用装置の代替装置となり得る代替医療用装置を決定する決定部と、
前記代替医療用装置の装置名、所在地、及び使用可能日時を含む第３情報を、故障していない前記医療用装置に対応する１つ以上のクライアント端末装置に送信する通信部と、
を備えることを特徴とするサーバ装置。
【請求項２】
前記通信部は、故障した前記医療用装置の装置名及び所在地を含む第４情報を、全ての前記クライアント端末装置に送信すること、及び、前記代替医療用装置の装置名、所在地、及び使用可能日時を含む前記第３情報を、故障した前記医療用装置に近接する前記クライアント端末装置に送信すること、を行う、
ことを特徴とする請求項１記載のサーバ装置。
【請求項３】
前記複数の医療用装置は、内視鏡装置及び前記内視鏡装置に接続される１つ以上の周辺装置を含み、
前記第２情報は、前記周辺装置の故障を検出した前記内視鏡装置から送信される、
ことを特徴とする請求項１記載のサーバ装置。
【請求項４】
前記１つ以上の周辺装置は、スコープ、光源装置、及び電気メス装置の１つ以上を含む、
ことを特徴とする請求項３記載のサーバ装置。
【請求項５】
前記第２の情報は、前記内視鏡装置の第２の記憶部に記憶されている患者情報、前記第２の記憶部に記憶されている検査情報、前記内視鏡装置の装置識別情報、前記内視鏡装置の装置設定情報、前記内視鏡装置が前記周辺装置から取得した前記周辺装置の装置識別情報、及び前記内視鏡装置が前記周辺装置から取得した前記周辺装置の装置設定情報、の一つ以上であり、
前記サーバ装置は、
前記第２の記憶部に記憶されている前記患者情報及び前記検査情報、前記内視鏡装置の装置識別情報及び装置設定情報、及び前記周辺装置の装置識別情報及び装置設定情報、が関連付けされて記憶される第３の記憶部と、
前記内視鏡装置により送信された、変更後の、前記患者情報、前記検査情報、前記内視鏡装置の装置設定情報、又は前記周辺装置の装置設定情報に応じて、前記第３の記憶部に記憶されている、対応する情報を更新する更新部と、
前記内視鏡装置により送信された前記内視鏡装置の装置識別情報及び前記周辺装置の装置識別情報と、前記第３の記憶部に記憶されている前記内視鏡装置の装置識別情報及び前記周辺装置の装置識別情報とを比較する比較部と、
を更に備え、
前記比較部による比較の結果、前記内視鏡装置の装置識別情報が異なる場合には、前記サーバ装置が、前記第３の記憶部に記憶されている、前記患者情報、前記検査情報、及び前記内視鏡装置の装置設定情報を、前記内視鏡装置に送信し、前記内視鏡装置が、前記サーバ装置により送信された前記患者情報及び前記検査情報を前記内視鏡装置の第２の記憶部に記憶すると共に、前記サーバ装置により送信された前記内視鏡装置の装置設定情報に従って前記内視鏡装置の装置設定を行い、
前記比較部による比較の結果、前記周辺装置の装置識別情報が異なる場合には、前記サーバ装置が、前記第３の記憶部に記憶されている、前記周辺装置の装置設定情報を、前記内視鏡装置に送信し、前記内視鏡装置が、前記サーバ装置により送信された前記周辺装置の装置設定情報に従って前記周辺装置の装置設定を行う、
ことを特徴とする請求項３記載のサーバ装置。
【請求項６】
請求項３又は４記載の前記サーバ装置と、
前記内視鏡装置及び前記周辺装置を含む、前記複数の医療用装置と、
を有し、
前記内視鏡装置は、
患者情報及び検査情報が記憶される第２の記憶部と、
前記第２の記憶部に記憶されている前記患者情報及び前記検査情報、前記内視鏡装置の装置識別情報及び装置設定情報、及び前記周辺装置から取得した前記周辺装置の装置識別情報及び装置設定情報、が関連付けされて記憶される、前記内視鏡装置に対して着脱自在な第３の記憶部と、
前記第２の記憶部に記憶されている前記患者情報又は前記検査情報の変更、前記内視鏡装置の装置設定の変更、又は前記周辺装置から取得した前記周辺装置の変更後の装置設定情報に応じて、前記第３の記憶部に記憶されている、対応する情報を更新する更新部と、
前記内視鏡装置の装置識別情報及び前記周辺装置から取得した前記周辺装置の装置識別情報と、前記第３の記憶部に記憶されている前記内視鏡装置の装置識別情報及び前記周辺装置の装置識別情報とを比較する比較部と、
を備え、
前記比較部による比較の結果、前記内視鏡装置の装置識別情報が異なる場合には、前記内視鏡装置が、前記第３の記憶部に記憶されている前記患者情報及び前記検査情報を、前記内視鏡装置の第２の記憶部に記憶すると共に、前記第３の記憶部に記憶されている前記内視鏡装置の装置設定情報に従って前記内視鏡装置の装置設定を行い、
前記比較部による比較の結果、前記周辺装置の装置識別情報が異なる場合には、前記内視鏡装置が、前記第３の記憶部に記憶されている前記周辺装置の装置設定情報に従って前記周辺装置の装置設定を行う、
ことを特徴とする医療用システム。
【請求項７】
請求項３又は４記載の前記サーバ装置と、
前記内視鏡装置及び前記周辺装置を含む、前記複数の医療用装置と、
携帯型端末装置と、
を有し、
前記内視鏡装置は、患者情報及び検査情報が記憶される第２の記憶部を備え、
前記内視鏡装置は、前記第２の記憶部に記憶されている前記患者情報、前記第２の記憶部に記憶されている前記検査情報、前記内視鏡装置の装置設定情報、及び前記周辺装置から取得した前記周辺装置の装置設定情報、の一つ以上を前記携帯型端末装置に送信し、
前記携帯型端末装置は、
前記内視鏡装置の装置識別情報及び前記周辺装置の装置識別情報の一方又は両方を取得する取得部と、
前記第２の記憶部に記憶されている前記患者情報及び前記検査情報、前記内視鏡装置の装置識別情報及び装置設定情報、及び前記周辺装置の装置識別情報及び装置設定情報、が関連付けされて記憶される第３の記憶部と、
前記内視鏡装置により送信された、変更後の、前記患者情報、前記検査情報、前記内視鏡装置の装置設定情報、又は前記周辺装置の装置設定情報に応じて、前記第３の記憶部に記憶されている、対応する情報を更新する更新部と、
前記取得部により取得された前記内視鏡装置の装置識別情報及び前記周辺装置の装置識別情報と、前記第３の記憶部に記憶されている前記内視鏡装置の装置識別情報及び前記周辺装置の装置識別情報とを比較する比較部と、
を備え、
前記比較部による比較の結果、前記内視鏡装置の装置識別情報が異なる場合には、前記携帯型端末装置が、前記第３の記憶部に記憶されている、前記患者情報、前記検査情報、及び前記内視鏡装置の装置設定情報を、前記内視鏡装置に送信し、前記内視鏡装置が、前記携帯型端末装置により送信された前記患者情報及び前記検査情報を前記内視鏡装置の第２の記憶部に記憶すると共に、前記携帯型端末装置により送信された前記内視鏡装置の装置設定情報に従って前記内視鏡装置の装置設定を行い、
前記比較部による比較の結果、前記周辺装置の装置識別情報が異なる場合には、前記携帯型端末装置が、前記第３の記憶部に記憶されている、前記周辺装置の装置設定情報を前記内視鏡装置に送信し、前記内視鏡装置が、前記携帯型端末装置により送信された前記周辺装置の装置設定情報に従って前記周辺装置の装置設定を行う、
ことを特徴とする医療用システム。
【請求項８】
複数の医療用装置と、１つ以上のクライアント端末装置と、前記複数の医療用装置の装置名、所在地、及び使用予定日時を含む第１情報を記憶する記憶部を含むサーバ装置と、を含む医療用システムの情報通知方法であって、
前記サーバ装置は、
前記複数の医療用装置の少なくとも１つである故障した前記医療用装置の装置名及び所在地を含む第２情報および前記記憶部に記憶されている前記第１情報に基づいて、故障した前記医療用装置の代替装置となり得る代替医療用装置を決定し、
前記代替医療用装置の装置名、所在地、及び使用可能日時を含む第３情報を、故障していない前記医療用装置に対応する１つ以上の前記クライアント端末装置に送信する、
ことを特徴とする情報通知方法。
【発明の詳細な説明】
【技術分野】
【０００１】
本発明は、医療機関等で使用される、サーバ装置、医療用システム、及び情報通知方法に関する。
【背景技術】
【０００２】
従来、医療機関等で使用される医療用システムとして、例えば、病院で使用される内視鏡システムがある。内視鏡システムは、例えば、スコープ（内視鏡）及びモニター等が接続される内視鏡用プロセッサを含み、その内視鏡用プロセッサが院内ＬＡＮ（Local Area Network）に接続される構成を有する。なお、内視鏡用プロセッサ、及び、その内視鏡用プロセッサに接続されるスコープ及びモニター等は、同じ部屋（例えば検査室）に設けられるのが一般的である。【０００３】
このような内視鏡システムでは、内視鏡用プロセッサに接続されている装置（例えばスコープ）が故障すると、その旨がモニターに表示され、その旨がユーザ（例えば医師や看護師）に通知される。すなわち、その旨が同じ部屋に存在するユーザに通知される。このような場合、その通知を確認したユーザは、関係者（保安員等）に連絡を取る等して代替装置の有無や所在地等を確認し、故障した装置を代替装置に交換するようにしている。【０００４】
なお、医療用システムに関しては、上述のような内視鏡システムに限らず、その他、各種のシステムが知られている。例えば、医療機器を医療現場にて管理する医療機器管理システム（特許文献１等参照）、電子内視鏡からの画像信号を処理してモニターに表示する内視鏡用プロセッサを備えた内視鏡システム（特許文献２等参照）、及び医療業務で使用する医療器材のステータスを管理する医療業務支援システム（特許文献３等参照）などが知られている。
【先行技術文献】
【特許文献】
【０００５】
【特許文献１】特開２００２−９２１８３号公報
【特許文献２】特開２００２−２６３０６３号公報
【特許文献３】特開２０１３−２２８９４６号公報
【発明の概要】
【発明が解決しようとする課題】
【０００６】
従来の医療用システムでは、装置が故障すると、上述の内視鏡システムのように、その旨を、同じ部屋に存在するユーザに通知することはできるものの、異なる部屋に存在するユーザに通知することはできなかった。また、その通知を確認したユーザが、故障した装置を代替装置に交換するためには、その代替装置の有無や所在地等を、関係者に連絡を取る等して、確認しなければならず、ユーザの負担は大きかった。【０００７】
以上のような実情を踏まえ、本発明は、装置が故障したときに、同じ部屋に存在しないユーザにもその旨を通知することができると共に、代替装置の有無や所在地等をユーザが容易に確認することができる、サーバ装置、医療用システム、及び情報通知方法を提供することを目的とする。
【課題を解決するための手段】
【０００８】
本発明の第１の態様は、複数の医療用装置の装置名、所在地、及び使用予定日時を含む第１情報が記憶される第１の記憶部と、前記複数の医療用装置の少なくとも１つの故障に係る第２情報および前記第１の記憶部に記憶されている前記第１情報に基づいて、故障した前記医療用装置の代替装置となり得る代替医療用装置を決定する決定部と、前記代替医療用装置の装置名、所在地、及び使用可能日時を含む第３情報を、故障していない前記医療用装置に対応する１つ以上の前記クライアント端末装置に送信する通信部と、を備える、サーバ装置を提供する。
【０００９】
本発明の第２の態様は、第１の態様において、前記通信部は、故障した前記医療用装置の装置名及び所在地を含む第４情報を、全ての前記クライアント端末装置に送信すること、及び、前記代替医療用装置の装置名、所在地、及び使用可能日時を含む前記第３情報を、故障した前記医療用装置に近接する前記クライアント端末装置に送信すること、を行う、サーバ装置を提供する。
【００１０】
本発明の第３の態様は、第１の態様において、前記複数の医療用装置は、内視鏡装置及び前記内視鏡装置に接続される１つ以上の周辺装置を含み、前記第２情報は、前記周辺装置の故障を検出した前記内視鏡装置から送信される、サーバ装置を提供する。
【００１１】
本発明の第４の態様は、第３の態様において、前記１つ以上の周辺装置は、スコープ、光源装置、及び電気メス装置の１つ以上を含む、サーバ装置を提供する。
本発明の第５の態様は、第３の態様において、前記第２の情報は、前記内視鏡装置の第２の記憶部に記憶されている患者情報、前記第２の記憶部に記憶されている検査情報、前記内視鏡装置の装置識別情報、前記内視鏡装置の装置設定情報、前記内視鏡装置が前記周辺装置から取得した前記周辺装置の装置識別情報、及び前記内視鏡装置が前記周辺装置から取得した前記周辺装置の装置設定情報、の一つ以上であり、前記サーバ装置は、前記第２の記憶部に記憶されている前記患者情報及び前記検査情報、前記内視鏡装置の装置識別情報及び装置設定情報、及び前記周辺装置の装置識別情報及び装置設定情報、が関連付けされて記憶される第３の記憶部と、前記内視鏡装置により送信された、変更後の、前記患者情報、前記検査情報、前記内視鏡装置の装置設定情報、又は前記周辺装置の装置設定情報に応じて、前記第３の記憶部に記憶されている、対応する情報を更新する更新部と、前記内視鏡装置により送信された前記内視鏡装置の装置識別情報及び前記周辺装置の装置識別情報と、前記第３の記憶部に記憶されている前記内視鏡装置の装置識別情報及び前記周辺装置の装置識別情報とを比較する比較部と、を更に備え、前記比較部による比較の結果、前記内視鏡装置の装置識別情報が異なる場合には、前記サーバ装置が、前記第３の記憶部に記憶されている、前記患者情報、前記検査情報、及び前記内視鏡装置の装置設定情報を、前記内視鏡装置に送信し、前記内視鏡装置が、前記サーバ装置により送信された前記患者情報及び前記検査情報を前記内視鏡装置の第２の記憶部に記憶すると共に、前記サーバ装置により送信された前記内視鏡装置の装置設定情報に従って前記内視鏡装置の装置設定を行い、前記比較部による比較の結果、前記周辺装置の装置識別情報が異なる場合には、前記サーバ装置が、前記第３の記憶部に記憶されている、前記周辺装置の装置設定情報を、前記内視鏡装置に送信し、前記内視鏡装置が、前記サーバ装置により送信された前記周辺装置の装置設定情報に従って前記周辺装置の装置設定を行う、サーバ装置を提供する。
【００１２】
本発明の第６の態様は、第３又は第４の態様の前記サーバ装置と、前記内視鏡装置及び前記周辺装置を含む、前記複数の医療用装置と、を有し、前記内視鏡装置は、患者情報及び検査情報が記憶される第２の記憶部と、前記第２の記憶部に記憶されている前記患者情報及び前記検査情報、前記内視鏡装置の装置識別情報及び装置設定情報、及び前記周辺装置から取得した前記周辺装置の装置識別情報及び装置設定情報、が関連付けされて記憶される、前記内視鏡装置に対して着脱自在な第３の記憶部と、前記第２の記憶部に記憶されている前記患者情報又は前記検査情報の変更、前記内視鏡装置の装置設定の変更、又は前記周辺装置から取得した前記周辺装置の変更後の装置設定情報に応じて、前記第３の記憶部に記憶されている、対応する情報を更新する更新部と、前記内視鏡装置の装置識別情報及び前記周辺装置から取得した前記周辺装置の装置識別情報と、前記第３の記憶部に記憶されている前記内視鏡装置の装置識別情報及び前記周辺装置の装置識別情報とを比較する比較部と、を備え、前記比較部による比較の結果、前記内視鏡装置の装置識別情報が異なる場合には、前記内視鏡装置が、前記第３の記憶部に記憶されている前記患者情報及び前記検査情報を、前記内視鏡装置の第２の記憶部に記憶すると共に、前記第３の記憶部に記憶されている前記内視鏡装置の装置設定情報に従って前記内視鏡装置の装置設定を行い、前記比較部による比較の結果、前記周辺装置の装置識別情報が異なる場合には、前記内視鏡装置が、前記第３の記憶部に記憶されている前記周辺装置の装置設定情報に従って前記周辺装置の装置設定を行う、医療用システムを提供する。
【００１３】
本発明の第７の態様は、第３又は第４の態様の前記サーバ装置と、前記内視鏡装置及び前記周辺装置を含む、前記複数の医療用装置と、携帯型端末装置と、を有し、前記内視鏡装置は、患者情報及び検査情報が記憶される第２の記憶部を備え、前記内視鏡装置は、前記第２の記憶部に記憶されている前記患者情報、前記第２の記憶部に記憶されている前記検査情報、前記内視鏡装置の装置設定情報、及び前記周辺装置から取得した前記周辺装置の装置設定情報、の一つ以上を前記携帯型端末装置に送信し、前記携帯型端末装置は、前記内視鏡装置の装置識別情報及び前記周辺装置の装置識別情報の一方又は両方を取得する取得部と、前記第２の記憶部に記憶されている前記患者情報及び前記検査情報、前記内視鏡装置の装置識別情報及び装置設定情報、及び前記周辺装置の装置識別情報及び装置設定情報、が関連付けされて記憶される第３の記憶部と、前記内視鏡装置により送信された、変更後の、前記患者情報、前記検査情報、前記内視鏡装置の装置設定情報、又は前記周辺装置の装置設定情報に応じて、前記第３の記憶部に記憶されている、対応する情報を更新する更新部と、前記取得部により取得された前記内視鏡装置の装置識別情報及び前記周辺装置の装置識別情報と、前記第３の記憶部に記憶されている前記内視鏡装置の装置識別情報及び前記周辺装置の装置識別情報とを比較する比較部と、を備え、前記比較部による比較の結果、前記内視鏡装置の装置識別情報が異なる場合には、前記携帯型端末装置が、前記第３の記憶部に記憶されている、前記患者情報、前記検査情報、及び前記内視鏡装置の装置設定情報を、前記内視鏡装置に送信し、前記内視鏡装置が、前記携帯型端末装置により送信された前記患者情報及び前記検査情報を前記内視鏡装置の第２の記憶部に記憶すると共に、前記携帯型端末装置により送信された前記内視鏡装置の装置設定情報に従って前記内視鏡装置の装置設定を行い、前記比較部による比較の結果、前記周辺装置の装置識別情報が異なる場合には、前記携帯型端末装置が、前記第３の記憶部に記憶されている、前記周辺装置の装置設定情報を前記内視鏡装置に送信し、前記内視鏡装置が、前記携帯型端末装置により送信された前記周辺装置の装置設定情報に従って前記周辺装置の装置設定を行う、医療用システムを提供する。
【００１４】
本発明の第８の態様は、複数の医療用装置と、１つ以上のクライアント端末装置と、前記複数の医療用装置の装置名、所在地、及び使用予定日時を含む第１情報を記憶する記憶部を含むサーバ装置と、を含む医療用システムの情報通知方法であって、前記サーバ装置は、前記複数の医療用装置の少なくとも１つである故障した前記医療用装置の装置名及び所在地を含む第２情報および前記記憶部に記憶されている前記第１情報に基づいて、故障した前記医療用装置の代替装置となり得る代替医療用装置を決定し、前記代替医療用装置の装置名、所在地、及び使用可能日時を含む第３情報を、故障していない前記医療用装置に対応する１つ以上の前記クライアント端末装置に送信する、情報通知方法を提供する。
【発明の効果】
【００１５】
本発明によれば、装置が故障したときに、同じ部屋に存在しないユーザにもその旨を通知することができると共に、代替装置の有無や所在地等をユーザが容易に確認することができる、サーバ装置、医療用システム、及び情報通知方法を提供することができる。
【図面の簡単な説明】
【００１６】
【図１】第１の実施形態に係る医療用システムの構成例を示す図である。
【図２】記憶部に記憶される情報のデータ構造例を示す図である。
【図３】ユーザＡ（例えば看護師）の動作例を示す図である。
【図４】サーバ装置の動作例を示す図である。
【図５】ビデオプロセッサの動作例を示す図である。
【図６】ユーザＢ（例えば医師）の動作例を示す図である。
【図７】クライアント端末装置の動作例を示す図である。
【図８】サーバ装置の表示部に表示される第１の表示画面例である。
【図９】サーバ装置の表示部に表示される第２の表示画面例である。
【図１０】クライアント端末装置の表示部に表示される第１の表示画面例である。
【図１１】クライアント端末装置の表示部に表示される第２の表示画面例である。
【図１２】クライアント端末装置の表示部に表示される第３の表示画面例である。
【図１３】クライアント端末装置の表示部に表示される第４の表示画面例である。
【図１４】クライアント端末装置の表示部に表示される第５の表示画面例である。
【図１５】クライアント端末装置の表示部に表示される第６の表示画面例である。
【図１６】第２の実施形態に係る医療用システムの構成例を示す図である。
【図１７】交換前のビデオプロセッサの動作例を示す図である。
【図１８】光源装置の動作例を示す図である。
【図１９】電気メス装置の動作例を示す図である。
【図２０】サーバ装置の動作例を示す図である。
【図２１】ユーザ（例えば医師や看護師）の動作例を示す図である。
【図２２】交換後のビデオプロセッサの動作例を示す図である。
【図２３】第３の実施形態に係る医療用システムの構成例を示す図である。
【図２４】交換前のビデオプロセッサの動作例を示す図である。
【図２５】ユーザ（例えば医師や看護師）の動作例を示す図である。
【図２６】光源装置の動作例を示す図である。
【図２７】電気メス装置の動作例を示す図である。
【図２８】交換後のビデオプロセッサの動作例を示す図である。
【図２９】第４の実施形態に係る医療用システムの構成例を示す図である。
【図３０】交換前のビデオプロセッサの動作例を示す図である。
【図３１】タブレット型端末装置の動作例を示す図である。
【図３２】光源装置の動作例を示す図である。
【図３３】電気メス装置の動作例を示す図である。
【図３４】ユーザ（例えば医師や看護師）の動作例を示す図である。
【図３５】交換後のビデオプロセッサの動作例を示す図である。
【発明を実施するための形態】
【００１７】
以下、図面を参照しながら、本発明の実施形態について説明する。
＜第１の実施形態＞
図１は、本発明の第１の実施形態に係る医療用システムの構成例を示す図である。
【００１８】
図１に示したように、本実施形態に係る医療用システム１００は、検査室１、２、３、倉庫４、中央材料室５、及びサーバ室６を含む医療機関（例えば病院）に設けられる。
検査室１、２、３の各々には、クライアント端末装置１０（１０＿１、１０＿２、又は１０＿３）及びビデオプロセッサ２０（２０＿１、２０＿２、又は２０＿３）等が設けられ、そのビデオプロセッサ２０には、スコープ３０（３０＿１、３０＿２、又は３０＿３）、周辺装置４０（４０＿１、４０＿２、又は４０＿３）、及び周辺装置５０（５０＿１、５０＿２、又は５０＿３）等が接続される。
【００１９】
倉庫４には、クライアント端末装置１０＿４、周辺装置４０＿４、及び周辺装置５０＿４等が設けられる。なお、周辺装置４０＿４及び周辺装置５０＿４は、予備として設けられた周辺装置である。
【００２０】
中央材料室５には、クライアント端末装置１０＿５等が設けられる。
サーバ室６には、サーバ装置６０等が設けられる。
また、クライアント端末装置１０、ビデオプロセッサ２０、及びサーバ装置６０は、院内ＬＡＮ等の、有線及び無線の一方又は両方を含むネットワーク７０に接続され、互いに情報の送受を行うことができる。
【００２１】
このように、本実施形態に係る医療用システム１００は、複数のクライアント端末装置１０（１０＿１、１０＿２、１０＿３、１０＿４、及び１０＿５）、複数のビデオプロセッサ２０（２０＿１、２０＿２、及び２０＿３）、複数のスコープ３０（３０＿１、３０＿２、及び３０＿３）、複数の周辺装置４０（４０＿１、４０＿２、４０＿３、及び４０＿４）、複数の周辺装置５０（５０＿１、５０＿２、５０＿３、及び５０＿４）、及びサーバ装置６０を含み、各クライアント端末装置１０、各ビデオプロセッサ２０、及びサーバ装置６０がネットワーク７０に接続される構成を有する。
【００２２】
なお、このような構成の医療用システム１００において、周辺装置４０及び５０は、例えば、光源装置及び電気メス装置である。また、スコープ３０は、電子内視鏡でもあり、周辺装置４０及び５０とは異なる周辺装置の一例である。また、ビデオプロセッサ２０は、内視鏡プロセッサでもあり、内視鏡装置の一例である。また、複数のビデオプロセッサ２０、複数のスコープ３０、複数の周辺装置４０、及び複数の周辺装置５０は、複数の医療用装置の一例である。また、複数のクライアント端末装置１０は、１つ以上のクライアント端末装置の一例である。また、ビデオプロセッサ２０は、図示しないモニターを含む。また、クライアント端末装置１０及びサーバ装置６０の各々は、図示しない入力部及び表示部を含む。
【００２３】
このような構成の医療用システム１００において、ビデオプロセッサ２０は、スコープ３０により出力される映像信号を処理してモニターに表示することや、接続されている周辺装置（スコープ３０、周辺装置４０、５０）において、周辺装置の故障を検出し、故障した周辺装置に関する情報をサーバ装置６０に送信すること等を行う。なお、ビデオプロセッサ２０は、周辺装置の故障を、例えば、その周辺装置からの応答の有無に応じて、検出する。
【００２４】
サーバ装置６０は、記憶部６１、検出部６２、及び決定部６３を含み、医療用装置の故障の検出や、故障した医療用装置の代替装置となり得る代替医療用装置の決定等を行う。
記憶部６１は、詳しくは図２を用いて後述するように、複数の医療用装置の装置名、シリアルＮｏ、電源／接続、所在地、及び使用予定等に関する情報が記憶される。
【００２５】
検出部６２は、医療用装置の故障を検出する。例えば、検出部６２は、ビデオプロセッサ２０の故障を、そのビデオプロセッサ２０からの応答の有無に応じて、検出する。また、例えば、検出部６２は、ビデオプロセッサ２０に接続されている周辺装置（スコープ３０、周辺装置４０、５０）の故障を、そのビデオプロセッサ２０により送信される、故障した周辺装置に関する情報に基づいて、検出する。
【００２６】
決定部６３は、記憶部６１に記憶されている情報に基づいて、故障した医療用装置の代替装置となり得る代替医療用装置を決定する。
また、サーバ装置６０は、故障した医療用装置の装置名及び所在地等に関する情報を、１つ以上のクライアント端末装置１０に送信することや、代替医療用装置の装置名、所在地、及び使用可能日時等に関する情報を、１つ以上のクライアント端末装置１０に送信すること、も行う。この場合、サーバ装置６０は、例えば、故障した医療用装置の装置名及び所在地等に関する情報を、全てのクライアント端末装置１０に送信することや、代替医療用装置の装置名、所在地、及び使用可能日時等に関する情報を、故障した医療用装置に近接するクライアント端末装置１０に送信すること、を行ってもよい。
【００２７】
クライアント端末装置１０は、サーバ装置６０により送信される、故障した医療用装置の装置名及び所在地等に関する情報や、代替医療用装置の装置名、所在地、及び使用可能日時等に関する情報を表示部に表示すること等を行う。
【００２８】
図２は、記憶部６１に記憶される情報のデータ構造例を示す図である。
図２に示したように、記憶部６１に記憶される情報は、複数の医療用装置の「装置名」、「シリアルＮｏ」、「電源／接続」、「所在地」、及び「使用予定」に関する情報を含む。なお、「シリアルＮｏ」は、医療用装置にユニークに付されたナンバーであり、装置識別情報の一例である。「電源／接続」は、現在日時が「使用予定」に含まれる日時であって、且つ、医療用装置の電源がＯＮされていると共にその医療用装置がネットワーク７０（サーバ装置６０）に直接的又は間接的に接続されている場合に限り「ＯＮ」とされる情報である。「所在地」は、医療用装置の所在地を示す情報である。「使用予定」は、使用が予定されている日付及び時間を示す情報である。但し、図２に示した例えば「11:00〜11:20」のように時間のみが示された情報は、使用が予定されている日付が現在の日付と同日であることを示し、図２に示した「無し」は、使用が予定されていないことを示している。
【００２９】
次に、本実施形態に係る医療用システム１００の動作例（情報通知動作も含む）について説明する。
なお、この説明では、その理解を容易にするために、クライアント端末装置１０、ビデオプロセッサ２０、及びサーバ装置６０の動作例と共に、ユーザの動作例も含めて説明することにする。
【００３０】
図３は、ユーザＡ（例えば看護師）の動作例を示す図である。図４は、サーバ装置６０の動作例を示す図である。図５は、ビデオプロセッサ２０の動作例を示す図である。図６は、ユーザＢ（例えば医師）の動作例を示す図である。図７は、クライアント端末装置１０の動作例を示す図である。図８及び図９は、サーバ装置６０の表示部に表示される表示画面例である。図１０乃至図１５は、クライアント端末装置１０の表示部に表示される表示画面例である。
【００３１】
本動作例では、まず、ユーザＡが、図３に示したように、サーバ装置６０の入力部を操作して、サーバ装置６０の表示部に、図８に示した装置登録画面を表示させ、登録する医療用装置の情報を入力する（図３のＳ１０１）。より詳しくは、ユーザＡが、サーバ装置６０の入力部を操作して、図８に示した装置登録画面の入力ボックス１０１及び１０２に、登録する医療用装置の装置名及びシリアルＮｏを入力すると共に、プルダウンボックス１０３から所在地を選択して、登録ボタン１０４を押下する。なお、この装置登録画面においては、ユーザＡが、サーバ装置６０の入力部を操作してキャンセルボタン１０５を押下することにより、登録する医療用装置の情報入力をキャンセルすることもできる。
【００３２】
図３のＳ１０１の後、サーバ装置６０の表示部には、図９に示した装置使用予定日時入力画面が表示され、続いて、ユーザＡは、サーバ装置６０の入力部を操作して、登録する医療用装置の使用予定日時を入力する（図３のＳ１０２）。より詳しくは、ユーザＡが、サーバ装置６０の入力部を操作して、図９に示した装置使用予定日時入力画面の使用予定日時入力ボックス１１１に、登録する医療用装置の使用予定日時（使用開始予定及び使用終了予定）を入力すると共に、確定ボタン１１２を押下する。なお、この装置使用予定日時入力画面では、ユーザＡが複数の使用予定日時を入力することも可能である。また、ユーザＡが、サーバ装置６０の入力部を操作して、過去に登録した医療用装置をプルダウンボックス１１３から選択することによって、その医療用装置の使用予定日時の追加や変更も可能である。また、ユーザＡが、サーバ装置６０の入力部を操作してキャンセルボタン１１４を押下することにより、登録する医療用装置の使用予定日時入力をキャンセルすることもできる。
【００３３】
図３のＳ１０１及びＳ１０２の後、サーバ装置６０は、図４に示したように、図３のＳ１０１及びＳ１０２で入力された医療用装置に関する情報を、記憶部６１に記憶（追加）する（図４のＳ１１１）。本動作例では、これにより、図２に示したビデオプロセッサ２０＿１に関する情報が追加されたとする（但し、「電源／接続」の“ＯＮ”を除く）。
【００３４】
図４のＳ１１１の後、ユーザＡは、図３に示したように、検査を行うための準備を行う（図３のＳ１０３）。本動作例では、ユーザＡが、検査室１での検査を行うための準備を行うものとする。本動作例では、これにより、図１の検査室１に示したように各装置が接続され、ビデオプロセッサ２０＿１、スコープ３０＿１、周辺装置４０＿１、及び５０＿１の各装置の電源がＯＮされたとする。
【００３５】
図３のＳ１０３の後、ビデオプロセッサ２０＿１は、図５に示したように、ビデオプロセッサ２０＿１の電源がＯＮされると共にネットワーク７０に接続されたことをサーバ装置６０に通知する（図５のＳ１２１）。
【００３６】
図５のＳ１２１の後、その通知を受取ったサーバ装置６０は、図４に示したように、記憶部６１に記憶されている情報の中の、対応するビデオプロセッサ２０＿１の「電源／接続」を、図２に示したように、“ＯＮ”にする（図４のＳ１１２）。
【００３７】
図４のＳ１１２の後、ビデオプロセッサ２０＿１は、図５に示したように、スコープ３０＿１、周辺装置４０＿１、及び５０＿１の電源がＯＮされると共にそれらがビデオプロセッサ２０＿１に接続されたことを検出し、その旨をサーバ装置６０に通知する（図５のＳ１２２）。
【００３８】
図５のＳ１２２の後、その通知を受取ったサーバ装置６０は、図４に示したように、記憶部６１に記憶されている情報の中の、対応するスコープ３０＿１、周辺装置４０＿１、及び５０＿１の「電源／接続」を “ＯＮ”にする（図４のＳ１１３）。
【００３９】
図４のＳ１１３の後、ユーザＢは、図６に示したように、検査室１での検査を１１：００に開始する（図６のＳ１３１）。
図６のＳ１３１の後、本動作例では、ビデオプロセッサ２０＿１が、図５に示したように、１１：１５に故障したとする（図５のＳ１２３）。
【００４０】
図５のＳ１２３の後、サーバ装置６０は、図４に示したように、ビデオプロセッサ２０＿１からの応答が無いことから、ビデオプロセッサ２０＿１が故障したことを検出する（図４のＳ１１４）。
【００４１】
続いて、サーバ装置６０は、記憶部６１に記憶されている情報から、故障したビデオプロセッサ２０＿１の装置名及び所在地等に関する情報を抽出し、その情報を全てのクライアント端末装置１０に送信する（図４のＳ１１５）。
【００４２】
図４のＳ１１５の後、その情報を受信した各クライアント端末装置１０は、図７に示したように、その情報に基づいて、図１０に示した装置故障情報画面を表示部に表示する（図７のＳ１４１）。これにより、検査室１のビデオプロセッサ２０＿１の故障が、検査室１に限らず、クライアント端末装置１０が設けられている他の部屋にも通知される。従って、検査室１にいないユーザＡであっても、検査室１のビデオプロセッサ２０＿１の故障を確認することができる。なお、図１０に示した装置故障情報画面では、例えばユーザＡが、クライアント端末装置１０の入力部を操作して閉じるボタン１２１を押下することにより、その画面を閉じることができる。
【００４３】
図７のＳ１４１の後、サーバ装置６０は、図４に示したように、記憶部６１に記憶されている情報（図２参照）に基づいて、故障したビデオプロセッサ２０＿１の代替装置となり得る代替医療用装置を決定し、その代替医療用装置の装置名、シリアルＮｏ、所在地、及び使用可能日時等に関する情報を、故障したビデオプロセッサ２０＿１が設けられている検査室１のクライアント端末装置１０＿１（故障したビデオプロセッサ２０＿１に近接するクライアント端末装置１０＿１）に送信する（図４のＳ１１６）。本動作例では、故障した医療用装置がビデオプロセッサ２０＿１であることから、その代替装置となり得る代替医療用装置として、ビデオプロセッサ２０＿２及び２０＿３が決定されたとする。
【００４４】
図４のＳ１１６の後、その情報を受信したクライアント端末装置１０＿１は、図７に示したように、その情報に基づいて、図１１に示した代替装置情報画面を表示部に表示する（図７のＳ１４２）。この代替装置情報画面には、代替医療用装置毎に、装置名、シリアルＮｏ、所在地、及び使用可能日時等が表示される。但し、使用可能日時については、日付が現在の日付と同日の場合に限り時間のみが示され（図１１に示した「使用可能日時」の例えば“〜１６：４５”参照）、使用不可能な（使用可能日時が無い）場合には、“−”が示される。また、その使用不可能な代替医療用装置（例えばビデオプロセッサ２０＿３）の情報は、他と区別可能（例えば灰色）に表示される。
【００４５】
図７のＳ１４２の後、ユーザＢは、図６に示したように、クライアント端末装置１０＿１の表示部に表示されている図１１に示した代替装置情報画面において、所望の代替医療用装置を選択する（図６のＳ１３２）。より詳しくは、ユーザＢが、クライアント端末装置１０＿１の入力部を操作して、図１１に示した代替装置情報画面に表示されている代替医療用装置の中から、所望の代替医療用装置に対応するラジオボタン１３１を押下して、検査続行ボタン１３２を押下する。但し、この代替装置情報画面では、使用不可能な代替医療用装置（例えばビデオプロセッサ２０＿３）の選択はできないようになっている。本動作例では、ここでユーザＢがビデオプロセッサ２０＿２を選択したとする。なお、この代替装置情報画面においては、ユーザＢが、クライアント端末装置１０＿１の入力部を操作して検査終了ボタン１３３を押下することにより、検査を終了させることもできる。
【００４６】
図６のＳ１３２の後、クライアント端末装置１０＿１の表示部には、図１２に示した代替装置情報画面が表示され、続いて、ユーザＢは、クライアント端末装置１０＿１の入力部を操作して、選択した代替医療用装置の使用時間を入力する（図６のＳ１３３）。より詳しくは、ユーザＢが、クライアント端末装置１０＿１の入力部を操作して、図１２に示した代替装置情報画面の使用時間入力ボックス１４１に、ビデオプロセッサ２０＿２の使用開始時刻及び使用終了時刻を入力すると共に、確定ボタン１４２を押下する。本動作例では、ユーザＢが、使用開始時刻及び使用終了時刻として、“１１：２０”及び“１１：５０”を入力したとする。なお、この代替装置情報画面では、ユーザＢが、クライアント端末装置１０＿１の入力部を操作してキャンセルボタン１４３を押下することにより、一つ前の画面に戻ることもできる。
【００４７】
図６のＳ１３３の後、クライアント端末装置１０＿１は、図７に示したように、図６のＳ１３２及びＳ１３３で選択及び入力された情報を、サーバ装置６０に送信する（図７のＳ１４３）。
【００４８】
図７のＳ１４３の後、その情報を受信したサーバ装置６０は、図４に示したように、その情報を、記憶部６１に記憶されている情報に追加し、記憶部６１に記憶されている情報を更新する（図４のＳ１１７）。
【００４９】
続いて、サーバ装置６０は、図６のＳ１３２で選択された代替医療用装置（ビデオプロセッサ２０＿２）の運搬を依頼する情報を、全てのクライアント端末装置１０に送信する（図４のＳ１１８）。
【００５０】
図４のＳ１１８の後、その情報を受信した各クライアント端末装置１０は、図７に示したように、その情報に基づいて、図１３に示した装置運搬依頼画面を表示部に表示する（図７のＳ１４４）。これにより、代替医療用装置の運搬依頼が、検査室１に限らず、クライアント端末装置１０が設けられている他の部屋にも通知される。従って、検査室１にいないユーザＡであっても、代替医療用装置の運搬依頼を確認することができる。
【００５１】
図７のＳ１４４の後、その代替医療用装置の運搬依頼を確認したユーザＡは、図３に示したように、その運搬依頼を受諾する（図３のＳ１０４）。より詳しくは、ユーザＡは、クライアント端末装置１０（例えばクライアント端末装置１０＿１以外のクライアント端末装置１０）の表示部に表示されている図１３に示した装置運搬依頼画面において、受諾ボタン１５１を押下する。このようにして、ユーザＡが装置運搬依頼を受諾すると、その装置運搬依頼画面には、続いて、図１４に示したように、その受諾結果が表示される。なお、図１３及び図１４に示した装置運搬依頼画面では、ユーザＡが、クライアント端末装置１０の入力部を操作して閉じるボタン１５２を押下することにより、その画面を閉じることもできる。
【００５２】
続いて、ユーザＡは、検査室２にある代替医療用装置（ビデオプロセッサ２０＿２）を検査室１へ運び、故障したビデオプロセッサ２０＿１と交換する（図３のＳ１０５）。
図３のＳ１０５の後、クライアント端末装置１０＿１の表示部には、図１５に示した装置所在地変更画面が表示され、続いて、ユーザＡは、クライアント端末装置１０＿１の入力部を操作して、代替医療用装置（ビデオプロセッサ２０＿２）の所在地を変更する（図３のＳ１０６）。より詳しくは、ユーザＡが、クライアント端末装置１０＿１の入力部を操作して、図１５に示した装置所在地変更画面のプルダウンボックス１６１及び１６２から代替医療用装置と変更後の所在地を選択して、確定ボタン１６３を押下する。本動作例では、ビデオプロセッサ２０＿２の所在地が検査室２から検査室１へ変更される。なお、この装置所在地変更画面においては、ユーザＡが、クライアント端末装置１０＿１の入力部を操作してキャンセルボタン１６４を押下することにより、代替医療用装置の所在地の変更をキャンセルすることもできる。
【００５３】
また、このようにして所在地の変更が行われた場合には、その変更に関する情報がクライアント端末装置１０＿１からサーバ装置６０に送信され、その情報に基づいて、記憶部６１に記憶されている情報が更新される。
【００５４】
図３のＳ１０６の後、ユーザＢは、図６に示したように、検査室１での検査を再開する（図６のＳ１３４）。
このようにして、図３のＳ１０６、図４のＳ１１８、図５のＳ１２３、図６のＳ１３４、及び図７のＳ１４４が終了すると、本実施形態に係る医療用システム１００の動作例が終了する。
【００５５】
なお、この動作例では、ビデオプロセッサ２０が故障した場合の例を説明したが、スコープ３０又は周辺装置４０（又は５０）が故障した場合には、詳しくは述べないが、例えば、図５のＳ１２３で、その故障がビデオプロセッサ２０により検出され、その旨がサーバ装置６０に通知される。そして、図４のＳ１１４では、その通知に基づいてスコープ３０又は周辺装置４０の故障がサーバ装置６０により検出され、ビデオプロセッサ２０の故障が検出されたときの動作と同様にして、以降の動作が行われる。
【００５６】
以上、本実施形態に係る医療用システム１００によれば、医療用装置（例えばビデオプロセッサ２０＿１）が故障すると、その故障した医療用装置の装置名及び所在値等に関する情報が全てのクライアント端末装置１０に通知されるようになる。従って、故障した医療用装置と同じ部屋に存在するユーザに限らず、故障した医療用装置と異なる部屋に存在するユーザであっても、その通知を確認することができる。
【００５７】
また、故障した医療用装置の代替装置となり得る代替医療用装置の装置名、シリアルＮｏ、所在地、及び使用可能日時等に関する情報が、故障した医療用装置に近接するクライアント端末装置１０に通知されるようにもなる。従って、ユーザは、従来のように関係者に連絡を取る等して確認することなく、クライアント端末装置１０に通知された情報を確認するだけで、代替医療用装置の有無や所在地等を容易に確認することができ、ユーザの負担が軽減する。
【００５８】
なお、本実施形態に係る医療用システム１００においては、各種の変形が可能である。
例えば、本実施形態に係る医療用システム１００の動作例において、図３のＳ１０１及びＳ１０２では、医療用装置の装置登録及び使用予定日時入力を、クライアント端末装置１０から行うように構成してもよい。
【００５９】
また、例えば、本実施形態に係る医療用システム１００の動作例において、図４のＳ１１６では、故障したビデオプロセッサ２０＿１の代替装置となり得る代替医療用装置を決定する際に、例えば現在使用中の医療用装置など、使用不可能な医療用装置を予め除いておくようにしてもよい。そして、図７のＳ１４２で表示される代替装置情報画面（図１１参照）には、使用可能な医療用装置のみが選択可能に表示されるようにしてもよい。
＜第２の実施形態＞
図１６は、本発明の第２の実施形態に係る医療用システムの構成例を示す図である。
【００６０】
なお、図１６において、上段は、交換前のビデオプロセッサを含む構成を示し、下段は、交換後のビデオプロセッサを含む構成を示している。
図１６の上段又は下段に示したように、本実施形態に係る医療用システム２００は、ビデオプロセッサ２１０（交換前のビデオプロセッサ２１０ａ又は交換後のビデオプロセッサ２１０ｂ）、光源装置２２０、電気メス装置２３０、及びサーバ装置２４０を含み、光源装置２２０及び電気メス装置２３０がビデオプロセッサ２１０に接続されると共に、ビデオプロセッサ２１０が図示しないネットワークを介してサーバ装置２４０に接続される構成を有する。なお、ビデオプロセッサ２１０、光源装置２２０、及び電気メス装置２３０は、トロリー２５０に載置される。
【００６１】
本実施形態に係る医療用システム２００は、例えば、第１の実施形態に係る医療用システム１００の一部である。この場合、例えば、ビデオプロセッサ２１０はビデオプロセッサ２０に対応し、光源装置２２０は周辺装置４０に対応し、電気メス装置２３０は周辺装置５０に対応し、サーバ装置２４０はサーバ装置６０に対応する。
【００６２】
本実施形態に係る医療用システム２００において、ビデオプロセッサ２１０は、記憶部２１１を含む。
記憶部２１１は、患者に関する患者情報、及び検査に関する検査情報等が記憶される。
【００６３】
また、ビデオプロセッサ２１０は、記憶部２１１に記憶されている患者情報、記憶部２１１に記憶されている検査情報、ビデオプロセッサ２１０の装置識別情報、ビデオプロセッサ２１０の装置設定情報、ビデオプロセッサ２１０に接続されている周辺装置（光源装置２２０、電気メス装置２３０）の装置識別情報、ビデオプロセッサ２１０に接続されている周辺装置（光源装置２２０、電気メス装置２３０）の装置設定情報、の一つ以上をサーバ装置２４０に送信すること等を行う。なお、光源装置２２０の装置識別情報及び装置設定情報の一方又は両方は、光源装置２２０からビデオプロセッサ２１０により取得される。また、電気メス装置２３０の装置識別情報及び装置設定情報の一方又は両方は、電気メス装置２３０からビデオプロセッサ２１０により取得する。
【００６４】
サーバ装置２４０は、記憶部２４１、更新部２４２、及び比較部２４３を含む。
記憶部２４１は、ビデオプロセッサ２１０の記憶部２１１に記憶されている患者情報及び検査情報、ビデオプロセッサ２１０の装置識別情報及び装置設定情報、及びビデオプロセッサ２１０に接続されている周辺装置（光源装置２２０及び電気メス装置２３０）の装置識別情報及び装置設定情報等が、トロリー情報として関連付けされて記憶される。なお、以下では、トロリー２５０に載置されている装置（ビデオプロセッサ２１０、光源装置２２０、及び電気メス装置２３０）の装置識別情報を、トロリー構成情報ともいう。
【００６５】
更新部２４２は、ビデオプロセッサ２１０により送信された、変更後の、患者情報、検査情報、ビデオプロセッサ２１０の装置設定情報、又は周辺装置（光源装置２２０又は電気メス装置２３０）の装置設定情報に応じて、記憶部２４１に記憶されている、対応する情報を更新する。
【００６６】
比較部２４３は、ビデオプロセッサ２１０により送信されたビデオプロセッサ２１０の装置識別情報及び周辺装置（光源装置２２０及び電気メス装置２３０）の装置識別情報と、記憶部２４１に記憶されているビデオプロセッサ２１０の装置識別情報及び周辺装置（光源装置２２０及び電気メス装置２３０）の装置識別情報とを比較する。
【００６７】
本実施形態に係る医療用システム２００では、詳しくは図１７乃至図２２を用いて後述するように、比較部２４３による比較の結果、ビデオプロセッサ２１０の装置識別情報が異なる場合には、ビデオプロセッサ２１０が交換されたとみなされ、サーバ装置２４０が、記憶部２４１に記憶されている、患者情報、検査情報、及びビデオプロセッサ２１０（２１０ａ）の装置設定情報を、ビデオプロセッサ２１０（２１０ｂ）に送信し、ビデオプロセッサ２１０（２１０ｂ）が、サーバ装置２４０により送信された患者情報及び検査情報をビデオプロセッサ２１０（２１０ｂ）の記憶部２１１に記憶すると共に、サーバ装置２４０により送信されたビデオプロセッサ２１０（２１０ａ）の装置設定情報に従ってビデオプロセッサ２１０（２１０ｂ）の装置設定を行う。
【００６８】
また、詳しくは述べないが、比較部２４３による比較の結果、周辺装置（光源装置２２０又は電気メス装置２３０）の装置識別情報が異なる場合には、周辺装置が交換されたとみなされ、サーバ装置２４０が、記憶部２４１に記憶されている、周辺装置（交換前の周辺装置）の装置設定情報を、ビデオプロセッサ２１０に送信し、ビデオプロセッサ２１０が、サーバ装置２４０により送信された周辺装置（交換前の周辺装置）の装置設定情報に従って周辺装置（交換後の周辺装置）の装置設定を行う。
【００６９】
次に、本実施形態に係る医療用システム２００の動作例について説明する。
ここでは、その動作例として、ビデオプロセッサ２１０の故障により、ビデオプロセッサ２１０の交換が行われる場合の例を説明する。
【００７０】
なお、この説明では、その理解を容易にするために、交換前のビデオプロセッサ２１０ａ、交換後のビデオプロセッサ２１０ｂ、光源装置２２０、電気メス装置２３０、及びサーバ装置２４０の動作例と共に、ユーザ（例えば医師や看護師）の動作例も含めて説明することにする。
【００７１】
図１７は、交換前のビデオプロセッサ２１０ａの動作例を示す図である。図１８は、光源装置２２０の動作例を示す図である。図１９は、電気メス装置２３０の動作例を示す図である。図２０は、サーバ装置２４０の動作例を示す図である。図２１は、ユーザ（例えば医師や看護師）の動作例を示す図である。図２２は、交換後のビデオプロセッサ２１０ｂの動作例を示す図である。
【００７２】
本動作例では、まず、ビデオプロセッサ２１０ａが、図１７に示したように、例えばユーザの操作に応じて、電源をＯＮする（図１７のＳ２０１）。
続いて、ビデオプロセッサ２１０ａは、電源がＯＮされている光源装置２２０及び電気メス装置２３０との接続を確立する（図１７のＳ２０２）。
【００７３】
続いて、ビデオプロセッサ２１０ａは、サーバ装置２４０との接続を確立する（図１７のＳ２０３）。
続いて、ビデオプロセッサ２１０ａは、光源装置２２０に対し、装置識別情報及び装置設定情報を要求する（図１７のＳ２０４）。
【００７４】
図１７のＳ２０４の後、光源装置２２０は、図１８に示したように、その要求に応答して、光源装置２２０の装置識別情報及び装置設定情報をビデオプロセッサ２１０ａに送信する（図１８のＳ２１１）。
【００７５】
図１８のＳ２１１の後、ビデオプロセッサ２１０ａは、図１７に示したように、電気メス装置２３０に対し、装置識別情報及び装置設定情報を要求する（図１７のＳ２０５）。
図１７のＳ２０５の後、電気メス装置２３０は、図１９に示したように、その要求に応答して、電気メス装置２３０の装置識別情報及び装置設定情報をビデオプロセッサ２１０ａに送信する（図１９のＳ２２１）。
【００７６】
図１９のＳ２２１の後、ビデオプロセッサ２１０ａは、図１７に示したように、記憶部２１１に記憶されている患者情報及び検査情報と、ビデオプロセッサ２１０ａの装置識別情報及び装置設定情報と、光源装置２２０により図１８のＳ２１１で送信された光源装置２２０の装置識別情報及び装置設定情報と、電気メス装置２３０により図１９のＳ２２１で送信された電気メス装置２３０の装置識別情報及び装置設定情報とを、サーバ装置２４０に送信する（図１７のＳ２０６）（図１６の上段参照）。
【００７７】
図１７のＳ２０６の後、サーバ装置２４０は、図２０に示したように、ビデオプロセッサ２１０ａにより図１７のＳ２０６で送信された情報を、例えば図１６の上段の記憶部２４１のトロリー情報のように関連づけて記憶部２４１に記憶する（図２０のＳ２３１）。
【００７８】
図２０のＳ２３１の後、光源装置２２０は、図１８に示したように、例えばユーザの操作により装置設定が変更される等して、光源装置２２０の装置設定情報が変更された場合には、変更後の装置設定情報を、ビデオプロセッサ２１０ａに送信する（図１８のＳ２１２）。
【００７９】
図１８のＳ２１２の後、電気メス装置２３０は、図１９に示したように、例えばユーザの操作により装置設定が変更される等して、電気メス装置２３０の装置設定情報が変更された場合には、変更後の装置設定情報を、ビデオプロセッサ２１０ａに送信する（図１９のＳ２２２）。
【００８０】
図１９のＳ２２２の後、ビデオプロセッサ２１０ａは、図１７に示したように、例えばユーザの操作により記憶部２１１に記憶されている患者情報又は検査情報が変更された場合には、変更後の患者情報又は検査情報を、サーバ装置２４０に送信する（図１７のＳ２０７）。あるいは、図１７のＳ２０７では、例えばユーザの操作により装置設定が変更される等して、ビデオプロセッサ２１０ａの装置設定情報が変更された場合には、変更後の装置設定情報を、サーバ装置２４０に送信する。もしくは、図１７のＳ２０７では、光源装置２２０により図１８のＳ２１２で送信された光源装置２２０の変更後の装置設定情報、又は、電気メス装置２３０により図１９のＳ２２２で送信された電気メス装置２３０の変更後の装置設定情報を、サーバ装置２４０に送信する。
【００８１】
図１７のＳ２０７の後、サーバ装置２４０は、図２０に示したように、ビデオプロセッサ２１０ａにより図１７のＳ２０７で送信された変更情報を記憶部２４１に記憶されているトロリー情報に反映し、トロリー情報を更新する（図２０のＳ２３２）。
【００８２】
図２０のＳ２３２の後、ユーザは、図２１に示したように、検査を開始する（図２１のＳ２４１）。
図２１のＳ２４１の後、本動作例では、ビデオプロセッサ２１０ａが、図１７に示したように、故障したとする（図１７のＳ２０８）。なお、この場合に、そのビデオプロセッサ２１０ａの故障や、その代替医療用装置（ビデオプロセッサ２１０ｂ）の所在地等に関する情報は、例えば、第１の実施形態で説明したようにしてユーザに通知される。
【００８３】
図１７のＳ２０８の後、ユーザは、図２１に示したように、故障したビデオプロセッサ２１０ａをビデオプロセッサ２１０ｂに交換する（図２１のＳ２４２）。
図２１のＳ２４２の後、交換後のビデオプロセッサ２１０ｂは、図２２に示したように、Ｓ２５１乃至Ｓ２５３の処理を行う。なお、この処理は、図１７のＳ２０２乃至Ｓ２０４と同様の処理となるので、ここでは説明を省略する。
【００８４】
図２２のＳ２５３の後、光源装置２２０は、図１８に示したように、Ｓ２１３の処理を行う。なお、この処理は、Ｓ２１１と同様の処理となるので、ここでは説明を省略する。
図１８のＳ２１３の後、ビデオプロセッサ２１０ｂは、図２２に示したように、Ｓ２５４の処理を行う。なお、この処理は、図１７のＳ２０５と同様の処理となるので、ここでは説明を省略する。
【００８５】
図２２のＳ２５４の後、電気メス装置２３０は、図１９に示したように、Ｓ２２３の処理を行う。なお、この処理は、Ｓ２２１と同様の処理となるので、ここでは説明を省略する。
【００８６】
図１９のＳ２２３の後、ビデオプロセッサ２１０ｂは、図２２に示したように、Ｓ２５５の処理を行う。なお、この処理は、図１７のＳ２０６と同様の処理となるので、ここでは説明を省略する。
【００８７】
図２２のＳ２５５の後、サーバ装置２４０は、図２０に示したように、ビデオプロセッサ２１０ｂにより図２２のＳ２２５で送信されたトロリー構成情報（ビデオプロセッサ２１０ｂ、光源装置２２０、及び電気メス装置２３０の各装置の装置識別情報）と、記憶部２４１に記憶されているトロリー構成情報（ビデオプロセッサ２１０ａ、光源装置２２０、及び電気メス装置２３０の各装置の装置識別情報）とを比較し、その結果、ビデオプロセッサ２１０の装置識別情報が異なることから、ビデオプロセッサ２１０が交換されたことを検出する（図２０のＳ２３３）。
【００８８】
続いて、サーバ装置２４０は、記憶部２４１に記憶されているトロリー情報の中の、ビデオプロセッサ２１０（すなわち交換前のビデオプロセッサ２１０ａ）の患者情報、検査情報、及び装置設定情報を、ビデオプロセッサ２１０ｂに送信する（図２０のＳ２３４）（図１６の下段参照）。
【００８９】
図２０のＳ２３４の後、ビデオプロセッサ２１０ｂは、サーバ装置２４０により図２０のＳ２３４で送信された、ビデオプロセッサ２１０ａの患者情報、検査情報、及び装置設定情報をビデオプロセッサ２１０ｂに反映する（図２２のＳ２５６）。すなわち、ビデオプロセッサ２１０ｂは、ビデオプロセッサ２１０ａの患者情報及び検査情報を、ビデオプロセッサ２１０ｂの記憶部２１１に記憶すると共に、ビデオプロセッサ２１０ａの装置設定情報に従って、ビデオプロセッサ２１０ｂの装置設定を行う。これにより、交換後のビデオプロセッサ２１０ｂの状態が、交換前のビデオプロセッサ２１０ａの状態に復帰する。
【００９０】
図２２のＳ２５６の後、光源装置２２０は、図１８に示したように、Ｓ２１４の処理を行う。なお、この処理は、Ｓ２１２と同様の処理となるので、ここでは説明を省略する。
図１８のＳ２１４の後、電気メス装置２３０は、図１９に示したように、Ｓ２２４の処理を行う。なお、この処理は、Ｓ２２２と同様の処理となるので、ここでは説明を省略する。
【００９１】
図１９のＳ２２４の後、ビデオプロセッサ２１０ｂは、図２２に示したように、Ｓ２５７の処理を行う。なお、この処理は、図１７のＳ２０７と同様の処理となるので、ここでは説明を省略する。
【００９２】
図２２のＳ２５７の後、サーバ装置２４０は、図２０に示したように、Ｓ２３５の処理を行う。なお、この処理は、Ｓ２３２と同様の処理となるので、ここでは説明を省略する。
【００９３】
このようにして、図１７のＳ２０８、図１８のＳ２１４、図１９のＳ２２４、図２０のＳ２３５、図２１のＳ２４２、及び図２２のＳ２５７が終了すると、本実施形態に係る医療用システム２００の動作例が終了する。
【００９４】
以上、本実施形態に係る医療用システム２００によれば、故障等によりビデオプロセッサ２１０の交換が行われた場合に、交換後のビデオプロセッサ２１０ｂの状態（患者情報、検査情報、及び装置設定）を、交換前のビデオプロセッサ２１０ａの状態に自動的に復帰させることができる。また、故障等により周辺装置（光源装置２２０又は電気メス装置２３０）の交換が行われた場合にも同様に、交換後の周辺装置の状態（装置設定）を、交換前の周辺装置の状態に自動的に復帰させることができる。これにより、ユーザは、従来のような、交換後の装置（ビデオプロセッサ）に対する患者情報及び検査情報の再入力や、交換後の装置（ビデオプロセッサ、光源装置、電気メス装置）に対する再設定が不要となり、装置交換に伴うユーザの負担を軽減させることができる。また、検査中に装置交換が行われたとしても、交換前の検査と交換後の検査とを同一検査として取り扱うこともできるので、検査を継続することもできる。従って、従来のように、検査中の装置交換により検査が中断され、交換前の検査と交換後の検査とが別検査として取り扱われることもない。
【００９５】
なお、本実施形態に係る医療用システム２００においては、各種の変形が可能である。
例えば、本実施形態に係る医療用システム２００において、ビデオプロセッサ２１０、光源装置２２０、及び電気メス装置２３０が載置されたトロリー２５０に限らず、複数の医療用装置が載置されるトロリーが複数設けられるようにしてもよい。この場合、サーバ装置２４０は、例えば、トロリー毎にトロリー情報を記憶部２４１に記憶するようにしてもよい。
＜第３の実施形態＞
図２３は、本発明の第３の実施形態に係る医療用システムの構成例を示す図である。
【００９６】
なお、図２３において、上段は、交換前のビデオプロセッサを含む構成を示し、下段は、交換後のビデオプロセッサを含む構成を示している。
図２３の上段又は下段に示したように、本実施形態に係る医療用システム３００は、ビデオプロセッサ３１０（交換前のビデオプロセッサ３１０ａ又は交換後のビデオプロセッサ３１０ｂ）、光源装置３２０、及び電気メス装置３３０を含み、光源装置３２０及び電気メス装置３３０がビデオプロセッサ３１０に接続される構成を有する。なお、ビデオプロセッサ３１０、光源装置３２０、及び電気メス装置３３０は、トロリー３４０に載置される。
【００９７】
本実施形態に係る医療用システム３００は、例えば、第１の実施形態に係る医療用システム１００の一部である。この場合、例えば、ビデオプロセッサ３１０はビデオプロセッサ２０に対応し、光源装置３２０は周辺装置４０に対応し、電気メス装置３３０は周辺装置５０に対応する。
【００９８】
本実施形態に係る医療用システム３００において、ビデオプロセッサ３１０は、記憶部３１１、ビデオプロセッサ３１０に対して着脱自在なポータブルメモリ３１２、更新部３１３、及び比較部３１４を含む。
【００９９】
記憶部３１１は、患者に関する患者情報、及び検査に関する検査情報等が記憶される。
ポータブルメモリ３１２は、例えばＵＳＢ（Universal Serial Bus）メモリ等であって、記憶部３１１に記憶されている患者情報及び検査情報、ビデオプロセッサ３１０の装置識別情報及び装置設定情報、及びビデオプロセッサ３１０に接続されている周辺装置（光源装置３２０及び電気メス装置３３０）の装置識別情報及び装置設定情報等が、トロリー情報として関連付けされて記憶される。なお、周辺装置（光源装置３２０及び電気メス装置３３０）の装置識別情報及び装置設定情報は、周辺装置からビデオプロセッサ３１０により取得される。また、以下では、トロリー３４０に載置されている装置（ビデオプロセッサ３１０、光源装置３２０、及び電気メス装置３３０）の装置識別情報を、トロリー構成情報ともいう。
【０１００】
更新部３１３は、記憶部３１１に記憶されている患者情報又は検査情報の変更、ビデオプロセッサ３１０の装置設定の変更、又は周辺装置（光源装置３２０又は電気メス装置３３０）から取得した周辺装置の変更後の装置設定情報に応じて、ポータブルメモリ３１２に記憶されている、対応する情報を更新する。
【０１０１】
比較部３１４は、ビデオプロセッサ３１０の装置識別情報及び周辺装置（光源装置３２０及び電気メス装置３３０）から取得した周辺装置の装置識別情報と、ポータブルメモリ３１２に記憶されているビデオプロセッサ３１０の装置識別情報及び周辺装置（光源装置３２０及び電気メス装置３３０）の装置識別情報とを比較する。
【０１０２】
本実施形態に係る医療用システム３００では、詳しくは図２４乃至図２８を用いて後述するように、比較部３１４による比較の結果、ビデオプロセッサ３１０の装置識別情報が異なる場合には、ビデオプロセッサ３１０が交換されたとみなされ、ビデオプロセッサ３１０（３１０ｂ）が、ポータブルメモリ３１２（ビデオプロセッサ３１０ａからビデオプロセッサ３１０ｂに差し替えられたポータブルメモリ３１２）に記憶されている患者情報及び検査情報を、ビデオプロセッサ３１０（３１０ｂ）の記憶部３１１に記憶すると共に、そのポータブルメモリ３１２に記憶されているビデオプロセッサ３１０（３１０ａ）の装置設定情報に従ってビデオプロセッサ３１０（３１０ｂ）の装置設定を行う。
【０１０３】
また、詳しくは述べないが、比較部３１４による比較の結果、周辺装置（光源装置３２０及び電気メス装置３３０）の装置識別情報が異なる場合には、ビデオプロセッサ３１０が、ポータブルメモリ３１２に記憶されている周辺装置（交換前の周辺装置）の装置設定情報に従って周辺装置（交換後の周辺装置）の装置設定を行う。
【０１０４】
次に、本実施形態に係る医療用システム３００の動作例について説明する。
ここでは、その動作例として、ビデオプロセッサ３１０の故障により、ビデオプロセッサ３１０の交換が行われる場合の動作例を説明する。
【０１０５】
なお、この説明では、その理解を容易にするために、交換前のビデオプロセッサ３１０ａ、交換後のビデオプロセッサ３１０ｂ、光源装置３２０、及び電気メス装置３３０の動作例と共に、ユーザ（例えば医師や看護師）の動作例も含めて説明することにする。
【０１０６】
図２４は、交換前のビデオプロセッサ３１０ａの動作例を示す図である。図２５は、ユーザ（例えば医師や看護師）の動作例を示す図である。図２６は、光源装置３２０の動作例を示す図である。図２７は、電気メス装置３３０の動作例を示す図である。図２８は、交換後のビデオプロセッサ３１０ｂの動作例を示す図である。
【０１０７】
本動作例では、まず、ビデオプロセッサ３１０ａが、図２４に示したように、例えばユーザの操作に応じて、電源をＯＮする（図２４のＳ３０１）。
続いて、ビデオプロセッサ３１０ａは、電源がＯＮされている光源装置３２０及び電気メス装置３３０との接続を確立する（図２４のＳ３０２）。
【０１０８】
図２４のＳ３０２の後、ユーザは、図２５に示したように、ポータブルメモリ３１２をビデオプロセッサ３１０ａに装着する（図２５のＳ３１１）。なお、この時点において、ポータブルメモリ３１２には、何れのトロリー情報も記憶されていないものとする。
【０１０９】
図２５のＳ３１１の後、ビデオプロセッサ３１０ａは、図２４に示したように、ポータブルメモリ３１２が装着されたことを認識する（図２４のＳ３０３）。
続いて、ビデオプロセッサ３１０ａは、光源装置３２０に対し、装置識別情報及び装置設定情報を要求する（図２４のＳ３０４）。
【０１１０】
図２４のＳ３０４の後、光源装置３２０は、図２６に示したように、その要求に応答して、光源装置３２０の装置識別情報及び装置設定情報をビデオプロセッサ３１０ａに送信する（図２６のＳ３２１）。
【０１１１】
図２６のＳ３２１の後、ビデオプロセッサ３１０ａは、図２４に示したように、電気メス装置３３０に対し、装置識別情報及び装置設定情報を要求する（図２４のＳ３０５）。
図２４のＳ３０５の後、電気メス装置３３０は、図２７に示したように、その要求に応答して、電気メス装置３３０の装置識別情報及び装置設定情報をビデオプロセッサ３１０ａに送信する（図２７のＳ３３１）。
【０１１２】
図２７のＳ３３１の後、ビデオプロセッサ３１０ａは、図２４に示したように、記憶部３１１に記憶されている患者情報及び検査情報と、ビデオプロセッサ３１０ａの装置識別情報及び装置設定情報と、光源装置３２０により図２６のＳ３２１で送信された光源装置３２０の装置識別情報及び装置設定情報と、電気メス装置３３０により図２７のＳ３３１で送信された電気メス装置３３０の装置識別情報及び装置設定情報とを、例えば図２３の上段のポータブルメモリ３１２のトロリー情報のように、関連づけてポータブルメモリ３１２に記憶する（図２４のＳ３０６）。
【０１１３】
図２４のＳ３０６の後、ユーザは、図２５に示したように、検査を開始する（図２５のＳ３１２）。
図２５のＳ３１２の後、光源装置３２０は、図２６に示したように、例えばユーザの操作により装置設定が変更される等して、光源装置３２０の装置設定情報が変更された場合には、変更後の装置設定情報を、ビデオプロセッサ３１０ａに送信する（図２６のＳ３２２）。
【０１１４】
図２６のＳ３２２の後、電気メス装置３３０は、図２７に示したように、例えばユーザの操作により装置設定が変更される等して、電気メス装置３３０の装置設定情報が変更された場合には、変更後の装置設定情報を、ビデオプロセッサ３１０ａに送信する（図２７のＳ３３２）。
【０１１５】
図２７のＳ３３２の後、ビデオプロセッサ３１０ａは、図２４に示したように、例えばユーザの操作により記憶部３１１に記憶されている患者情報又は検査情報が変更された場合には、変更後の患者情報又は検査情報を、ポータブルメモリ３１２のトロリー情報に反映し、トロリー情報を更新する（図２４のＳ３０７）。あるいは、図２４のＳ３０７では、例えばユーザの操作により装置設定が変更される等して、ビデオプロセッサ３１０ａの装置設定情報が変更された場合には、変更後の装置設定情報を、ポータブルメモリ３１２のトロリー情報に反映し、トロリー情報を更新する。もしくは、図２４のＳ３０７では、光源装置３２０により図２６のＳ３２２で送信された光源装置３２０の変更後の装置設定情報、又は、電気メス装置３３０により図２７のＳ３３２で送信された電気メス装置３３０の変更後の装置設定情報を、ポータブルメモリ３１２のトロリー情報に反映し、トロリー情報を更新する。
【０１１６】
図２４のＳ３０７の後、本動作例では、ビデオプロセッサ３１０ａが、図２４に示したように、故障したとする（図２４のＳ３０８）。なお、この場合に、そのビデオプロセッサ３１０ａの故障や、その代替医療用装置（ビデオプロセッサ３１０ｂ）の所在地等に関する情報は、例えば、第１の実施形態で説明したようにしてユーザに通知される。
【０１１７】
図２４のＳ３０８の後、ユーザは、図２５に示したように、故障したビデオプロセッサ３１０ａをビデオプロセッサ３１０ｂに交換する（図２５のＳ３１３）。
図２５のＳ３１３の後、ビデオプロセッサ３１０ｂは、図２８に示したように、Ｓ３４１の処理を行う。なお、この処理は、図２４のＳ３０２と同様の処理となるので、ここでは説明を省略する。
【０１１８】
図２８のＳ３４１の後、ユーザは、図２５に示したように、ビデオプロセッサ３１０ａに装着されていたポータブルメモリ３１２を、ビデオプロセッサ３１０ｂに装着する（図２５のＳ３１４）。すなわち、ポータブルメモリ３１２を、ビデオプロセッサ３１０ａからビデオプロセッサ３１０ｂに差し替える。
【０１１９】
図２５のＳ３１４の後、ビデオプロセッサ３１０ｂは、図２８に示したように、Ｓ３４２及びＳ３４３の処理を行う。なお、この処理は、図２４のＳ３０３及びＳ３０４と同様の処理となるので、ここでは説明を省略する。
【０１２０】
図２８のＳ３４３の後、光源装置３２０は、図２６に示したように、Ｓ３２３の処理を行う。なお、この処理は、Ｓ３２１と同様の処理となるので、ここでは説明を諸略する。
図２６のＳ３２３の後、ビデオプロセッサ３１０ｂは、図２８に示したように、Ｓ３４４の処理を行う。なお、この処理は、図２４のＳ３０５と同様の処理となるので、ここでは説明を省略する。
【０１２１】
図２８のＳ３４４の後、電気メス装置３３０は、図２７に示したように、Ｓ３３３の処理を行う。なお、この処理は、Ｓ３３１と同様の処理となるので、ここでは説明を省略する。
【０１２２】
図２７のＳ３３３の後、ビデオプロセッサ３１０ｂは、図２８に示したように、現時点のトロリー構成情報（ビデオプロセッサ３１０ｂ、光源装置３２０、及び電気メス装置３３０の各装置の装置識別情報）と、ポータブルメモリ３１２に記憶されているトロリー構成情報（ビデオプロセッサ３１０ａ、光源装置３２０、及び電気メス装置３３０の各装置の装置識別情報）とを比較し、その結果、ビデオプロセッサ３１０の装置識別情報が異なることから、ビデオプロセッサ３１０が交換されたことを検出し、ポータブルメモリ３１２に記憶されているトロリー情報の中のビデオプロセッサ３１０ａの患者情報、検査情報、及び装置設定情報をビデオプロセッサ３１０ｂに反映する（図２８のＳ３４５）。すなわち、ビデオプロセッサ３１０ｂは、ビデオプロセッサ３１０ａの患者情報及び検査情報を、ビデオプロセッサ３１０ｂの記憶部３１１に記憶すると共に、ビデオプロセッサ３１０ａの装置設定情報に従って、ビデオプロセッサ３１０ｂの装置設定を行う。これにより、交換後のビデオプロセッサ３１０ｂの状態が、交換前のビデオプロセッサ３１０ａの状態に復帰する。
【０１２３】
図２８のＳ３４５の後、光源装置３２０は、図２６に示したように、Ｓ３２４の処理を行う。なお、この処理は、Ｓ３２２と同様の処理となるので、ここでは説明を省略する。
図２６のＳ３２４の後、電気メス装置３３０は、図２７に示したように、Ｓ３３４の処理を行う。なお、この処理は、Ｓ３３２と同様の処理となるので、ここでは説明を省略する。
【０１２４】
図２７のＳ３３４の後、ビデオプロセッサ３１０ｂは、図２８に示したように、Ｓ３４６の処理を行う。なお、この処理は、図２４のＳ３０７と同様の処理となるので、ここでは説明を省略する。
【０１２５】
このようにして、図２４のＳ３０８、図２５のＳ３１４、図２６のＳ３２４、図２７のＳ３３４、及び図２８のＳ３４６が終了すると、本実施形態に係る医療用システム３００の動作例が終了する。
【０１２６】
以上、本実施形態に係る医療用システム３００によれば、故障等によりビデオプロセッサ３１０の交換が行われた場合に、ユーザはポータブルメモリ３１２を交換前のビデオプロセッサ３１０ａから交換後のビデオプロセッサ３１０ｂへ差し替えるだけで、交換後のビデオプロセッサ３１０ｂの状態（患者情報、検査情報、及び装置設定）を、交換前のビデオプロセッサ３１０ａの状態に自動的に復帰させることができる。また、故障等により周辺装置（光源装置３２０又は電気メス装置３３０）の交換が行われた場合には、交換後の周辺装置の状態（装置設定）を、交換前の周辺装置の状態に自動的に復帰させることができる。これにより、ユーザは、従来のような、交換後の装置（ビデオプロセッサ）に対する患者情報及び検査情報の再入力や、交換後の装置（ビデオプロセッサ、光源装置、電気メス装置）に対する再設定が不要となり、装置交換に伴うユーザの負担を軽減させることができる。また、検査中に装置交換が行われたとしても、交換前の検査と交換後の検査とを同一検査として取り扱うこともできるので、検査を継続することもできる。従って、従来のように、検査中の装置交換により検査が中断され、交換前の検査と交換後の検査とが別検査として取り扱われることもない。
【０１２７】
なお、本実施形態に係る医療用システム３００においては、各種の変形が可能である。
例えば、本実施形態に係る医療用システム３００において、ビデオプロセッサ３１０、光源装置３２０、及び電気メス装置３３０が載置されたトロリー３４０に限らず、複数の医療用装置が載置されるトロリーが複数設けられるようにしてもよい。この場合、ビデオプロセッサ３１０は、例えば、トロリー毎にトロリー情報をポータブルメモリ３１２に記憶するようにしてもよい。
＜第４の実施形態＞
図２９は、本発明の第４の実施形態に係る医療用システムの構成例を示す図である。
【０１２８】
なお、図２９において、上段は、交換前のビデオプロセッサを含む構成を示し、下段は、交換後のビデオプロセッサを含む構成を示している。
図２９の上段又は下段に示したように、本実施形態に係る医療用システム４００は、ビデオプロセッサ４１０（交換前のビデオプロセッサ４１０ａ又は交換後のビデオプロセッサ４１０ｂ）、光源装置４２０、電気メス装置４３０、及びタブレット型端末装置４４０を含み、光源装置４２０及び電気メス装置４３０がビデオプロセッサ４１０に接続（例えば有線接続）されると共に、ビデオプロセッサ４１０が図示しないネットワークを介してタブレット型端末装置４４０に接続（例えば無線接続）される構成を有する。なお、ビデオプロセッサ４１０、光源装置４２０、及び電気メス装置４３０は、トロリー４５０に載置される。
【０１２９】
本実施形態に係る医療用システム４００は、例えば、第１の実施形態に係る医療用システム１００の一部である。この場合、例えば、ビデオプロセッサ４１０はビデオプロセッサ２０に対応し、光源装置４２０は周辺装置４０に対応し、電気メス装置４３０は周辺装置５０に対応する。
【０１３０】
本実施形態に係る医療用システム４００において、ビデオプロセッサ４１０は、記憶部４１１、及びＲＦＩＤ（Radio Frequency IDentification）タグ４１２を含む。
記憶部４１１は、患者に関する患者情報、及び検査に関する検査情報等が記憶される。
【０１３１】
ＲＦＩＤタグ４１２は、ビデオプロセッサ４１０の装置識別情報等を記憶する。
また、ビデオプロセッサ４１０は、記憶部４１１に記憶されている患者情報、記憶部４１１に記憶されている検査情報、ビデオプロセッサ４１０の装置設定情報、ビデオプロセッサ４１０に接続されている周辺装置（光源装置４２０、電気メス装置４３０）の装置設定情報、の一つ以上をタブレット型端末装置４４０に送信すること等を行う。なお、光源装置４２０の装置識別情報は、光源装置４２０からビデオプロセッサ４１０により取得される。また、電気メス装置４３０の装置設定情報は、電気メス装置４３０からビデオプロセッサ４１０により取得される。
【０１３２】
光源装置４２０は、ＲＦＩＤタグ４２１を含む。
ＲＦＩＤタグ４２１は、光源装置４２０の装置識別情報等を記憶する。
電気メス装置４３０は、ＲＦＩＤタグ４３１を含む。
【０１３３】
ＲＦＩＤタグ４３１は、電気メス装置４３０の装置識別情報等を記憶する。
タブレット型端末装置４４０は、携帯型端末装置の一例であって、取得部４４１、記憶部４４２、更新部４４３、及び比較部４４４を含む。
【０１３４】
取得部４４１は、ＲＦＩＤタグに対して情報の読み出し及び書き込みを行うリーダライタであって、例えば、ビデオプロセッサ４１０のＲＦＩＤタグ４１２、光源装置４２０のＲＦＩＤタグ４２１、及び電気メス装置４３０のＲＦＩＤタグ４３１から、各装置の装置識別情報を読み出す。
【０１３５】
記憶部４４２は、ビデオプロセッサ４１０の記憶部４１１に記憶されている患者情報及び検査情報、ビデオプロセッサ４１０の装置識別情報及び装置設定情報、及びビデオプロセッサ４１０に接続されている周辺装置（光源装置４２０及び電気メス装置４３０）の装置識別情報及び装置設定情報等が、トロリー情報として関連付けされて記憶される。なお、以下では、トロリー４５０に載置されている装置（ビデオプロセッサ４１０、光源装置４２０、及び電気メス装置４３０）の装置識別情報を、トロリー構成情報ともいう。
【０１３６】
更新部４４３は、ビデオプロセッサ４１０により送信された、変更後の、患者情報、検査情報、ビデオプロセッサ４１０の装置設定情報、又は周辺装置（光源装置４２０又は電気メス装置４３０）の装置設定情報に応じて、記憶部４４２に記憶されている、対応する情報を更新する。
【０１３７】
比較部４４４は、取得部４４１により取得されたビデオプロセッサ４１０の装置識別情報及び周辺装置（光源装置４２０及び電気メス装置４３０）の装置識別情報と、記憶部４４２に記憶されているビデオプロセッサ４１０の装置識別情報及び周辺装置（光源装置４２０及び電気メス装置４３０）の装置識別情報とを比較する。
【０１３８】
本実施形態に係る医療用システム４００では、詳しくは図３０乃至図３５を用いて後述するように、比較部４４４による比較の結果、ビデオプロセッサ４１０の装置識別情報が異なる場合には、ビデオプロセッサ４１０が交換されたとみなされ、タブレット型端末装置４４０が、記憶部４４２に記憶されている、患者情報、検査情報、及びビデオプロセッサ４１０（４１０ａ）の装置設定情報を、ビデオプロセッサ４１０（４１０ｂ）に送信し、ビデオプロセッサ４１０（４１０ｂ）が、タブレット型端末装置４４０により送信された患者情報及び検査情報をビデオプロセッサ４１０（４１０ｂ）の記憶部４１１に記憶すると共に、タブレット型端末装置４４０により送信されたビデオプロセッサ４１０（４１０ａ）の装置設定情報に従ってビデオプロセッサ４１０（４１０ｂ）の装置設定を行う。
【０１３９】
また、詳しくは述べないが、比較部４４４による比較の結果、周辺装置（光源装置４２０又は電気メス装置４３０）の装置識別情報が異なる場合には、周辺装置が交換されたとみなされ、タブレット型端末装置４４０が、記憶部４４２に記憶されている、周辺装置（交換前の周辺装置）の装置設定情報を、ビデオプロセッサ４１０に送信し、ビデオプロセッサ４１０が、タブレット型端末装置４４０により送信された周辺装置（交換前の周辺装置）の装置設定情報に従って周辺装置（交換後の周辺装置）の装置設定を行う。
【０１４０】
次に、本実施形態に係る医療用システム４００の動作例について説明する。
ここでは、その動作例として、ビデオプロセッサ４１０の故障により、ビデオプロセッサ４１０の交換が行われる場合の動作例を説明する。
【０１４１】
なお、この説明では、その理解を容易にするために、交換前のビデオプロセッサ４１０ａ、交換後のビデオプロセッサ４１０ｂ、光源装置４２０、電気メス装置４３０、及びタブレット型端末装置４４０の動作例と共に、ユーザ（例えば医師や看護師）の動作例も含めて説明することにする。
【０１４２】
図３０は、交換前のビデオプロセッサ４１０ａの動作例を示す図である。図３１は、タブレット型端末装置４４０の動作例を示す図である。図３２は、光源装置４２０の動作例を示す図である。図３３は、電気メス装置４３０の動作例を示す図である。図３４は、ユーザ（例えば医師や看護師）の動作例を示す図である。図３５は、交換後のビデオプロセッサ４１０ｂの動作例を示す図である。
【０１４３】
本動作例では、まず、ビデオプロセッサ４１０ａが、図３０に示したように、例えばユーザの操作に応じて、電源をＯＮする（図３０のＳ４０１）。
図３０のＳ４０１の後、タブレット型端末装置４４０は、図３１に示したように、ビデオプロセッサ４１０のＲＦＩＤタグ４１２、光源装置４２０のＲＦＩＤタグ４２１、及び電気メス装置４３０のＲＦＩＤタグ４３１の各々から、装置識別情報を読み出し、それらをトロリー構成情報として記憶部４４２に記憶する（図３１のＳ４１１）（図２９の上段参照）。
【０１４４】
図３１のＳ４１１の後、ビデオプロセッサ４１０ａは、電源がＯＮされている光源装置４２０及び電気メス装置４３０との接続を確立する（図３０のＳ４０２）。
続いて、ビデオプロセッサ４１０ａは、タブレット型端末装置４４０との接続を確立する（図３０のＳ４０３）。
【０１４５】
続いて、ビデオプロセッサ４１０ａは、光源装置４２０に対し、装置設定情報を要求する（図３０のＳ４０４）。
図３０のＳ４０４の後、光源装置４２０は、図３２に示したように、その要求に応答して、光源装置４２０の装置設定情報をビデオプロセッサ４１０ａに送信する（図３２のＳ４２１）。
【０１４６】
図３２のＳ４２１の後、ビデオプロセッサ４１０ａは、図３０に示したように、電気メス装置４３０に対し、装置設定情報を要求する（図３０のＳ４０５）。
図３０のＳ４０５の後、電気メス装置４３０は、図３３に示したように、その要求に応答して、電気メス装置４３０の装置設定情報をビデオプロセッサ４１０ａに送信する（図３３のＳ４３１）。
【０１４７】
図３３のＳ４３１の後、ビデオプロセッサ４１０ａは、図３０に示したように、記憶部４１１に記憶されている患者情報及び検査情報と、ビデオプロセッサ４１０ａの装置設定情報と、光源装置４２０により図３２のＳ４２１で送信された光源装置４２０の装置設定情報と、電気メス装置４３０により図３３のＳ４３１で送信された電気メス装置４３０の装置設定情報とを、タブレット型端末装置４４０に送信する（図３０のＳ４０６）（図２９の上段参照）。
【０１４８】
図３０のＳ４０６の後、タブレット型端末装置４４０は、図３１に示したように、ビデオプロセッサ４１０ａにより図３０のＳ４０６で送信された情報を、Ｓ４１１で既に記憶されているトロリー構成情報と共に、例えば図２９の上段の記憶部４４２のトロリー情報のように関連づけて記憶部４４２に記憶する（図３１のＳ４１２）。
【０１４９】
図３１のＳ４１２の後、ユーザは、図３４に示したように、検査を開始する（図３４のＳ４４１）。
図３４のＳ４４１の後、光源装置４２０は、図３２に示したように、例えばユーザの操作により装置設定が変更される等して、光源装置４２０の装置設定情報が変更された場合には、変更後の装置設定情報を、ビデオプロセッサ４１０ａに送信する（図３２のＳ４２２）。
【０１５０】
図３２のＳ４２２の後、電気メス装置４３０は、図３３に示したように、例えばユーザの操作により装置設定が変更される等して、電気メス装置４３０の装置設定情報が変更された場合には、変更後の装置設定情報を、ビデオプロセッサ４１０ａに送信する（図３３のＳ４３２）。
【０１５１】
図３３のＳ４３２の後、ビデオプロセッサ４１０ａは、図３０に示したように、例えばユーザの操作により記憶部４１１に記憶されている患者情報又は検査情報が変更された場合には、変更後の患者情報又は検査情報を、タブレット型端末装置４４０に送信する（図３０のＳ４０７）。あるいは、図３０のＳ４０７では、例えば、ユーザの操作により装置設定が変更される等して、ビデオプロセッサ４１０ａの装置設定情報が変更された場合には、変更後の装置設定情報を、タブレット型端末装置４４０に送信する。もしくは、図３０のＳ４０７では、光源装置４２０により図３２のＳ４２２で送信された光源装置４２０の変更後の装置設定情報、又は、電気メス装置４３０により図３３のＳ４３２で送信された電気メス装置４３０の変更後の装置設定情報を、タブレット型端末装置４４０に送信する。
【０１５２】
図３０のＳ４０７の後、タブレット型端末装置４４０は、図３１に示したように、ビデオプロセッサ４１０ａにより図３０のＳ４０７で送信された変更情報を記憶部４４２に記憶されているトロリー情報に反映し、トロリー情報を更新する（図３１のＳ４１３）。
【０１５３】
図３１のＳ４１３の後、本動作例では、ビデオプロセッサ４１０ａが、図３０に示したように、故障したとする（図３０のＳ４０８）。なお、この場合に、そのビデオプロセッサ４１０ａの故障や、その代替医療用装置（ビデオプロセッサ４１０ｂ）の所在地等に関する情報は、例えば、第１の実施形態で説明したようにしてユーザに通知される。
【０１５４】
図３０のＳ４０８の後、ユーザは、図３４に示したように、故障したビデオプロセッサ４１０ａをビデオプロセッサ４１０ｂに交換する（図３４のＳ４４２）。
図３４のＳ４４２の後、タブレット型端末装置４４０は、図３１に示したように、ビデオプロセッサ４１０ｂのＲＦＩＤタグ４１２、光源装置４２０のＲＦＩＤタグ４２１、及び電気メス装置４３０のＲＦＩＤタグ４３１の各々から、装置識別情報を読み出し（図２９の下段参照）、それら（実際のトロリー構成情報）と、記憶部４４２に記憶されているトロリー構成情報（ビデオプロセッサ４１０ａ、光源装置４２０、及び電気メス装置４３０の各装置の装置識別情報）とを比較し、その結果、ビデオプロセッサ４１０の装置識別情報が異なることから、ビデオプロセッサ４１０が交換されたことを検出する（図３１のＳ４１４）。
【０１５５】
図３１のＳ４１４の後、交換後のビデオプロセッサ４１０ｂは、図３５に示したように、Ｓ４５１乃至Ｓ４５３の処理を行う。なお、この処理は、図３０のＳ４０２乃至Ｓ４０４と同様の処理となるので、ここでは説明を省略する。
【０１５６】
図３５のＳ４５３の後、光源装置４２０は、図３２に示したように、Ｓ４２３の処理を行う。なお、この処理は、Ｓ４２１と同様の処理となるので、ここでは説明を省略する。
図３２のＳ４２３の後、ビデオプロセッサ４１０ｂは、図３５に示したように、Ｓ４５４の処理を行う。なお、この処理は、図３０のＳ４０５と同様の処理となるので、ここでは説明を省略する。
【０１５７】
図３５のＳ４５４の後、電気メス装置４３０は、図３３に示したように、Ｓ４３３の処理を行う。なお、この処理は、Ｓ４３１と同様の処理となるので、ここでは説明を省略する。
【０１５８】
図３３のＳ４３３の後、ビデオプロセッサ４１０ｂは、図３５に示したように、Ｓ４５５の処理を行う。なお、この処理は、図３０のＳ４０６と同様の処理となるので、ここでは説明を省略する。
【０１５９】
図３５のＳ４５５の後、タブレット型端末装置４４０は、図３１に示したように、ビデオプロセッサ４１０が交換されていることから、ビデオプロセッサ４１０ｂにより図３５のＳ４５５で送信された情報のうち、ビデオプロセッサ４１０ｂの装置設定情報を破棄すると共に、記憶部４４２に記憶されているトロリー情報の中の、ビデオプロセッサ４１０（すなわち交換前のビデオプロセッサ４１０ａ）の患者情報、検査情報、及び装置設定情報を、ビデオプロセッサ４１０ｂに送信する（図３１のＳ４１５）（図２９の下段参照）。
【０１６０】
図３１のＳ４１５の後、ビデオプロセッサ４１０ｂは、タブレット型端末装置４４０により図３１のＳ４１５で送信された、ビデオプロセッサ４１０ａの患者情報、検査情報、及び装置設定情報をビデオプロセッサ４１０ｂに反映する（図３５のＳ４５６）。すなわち、ビデオプロセッサ４１０ｂは、ビデオプロセッサ４１０ａの患者情報及び検査情報を、ビデオプロセッサ４１０ｂの記憶部４１１に記憶すると共に、ビデオプロセッサ４１０ａの装置設定情報に従って、ビデオプロセッサ４１０ｂの装置設定を行う。これにより、交換後のビデオプロセッサ４１０ｂの状態が、交換前のビデオプロセッサ４１０ａの状態に復帰する。
【０１６１】
図３５のＳ４５６の後、光源装置４２０は、図３２に示したように、Ｓ４２４の処理を行う。なお、この処理は、Ｓ４２２と同様の処理となるので、ここでは説明を省略する。
図３２のＳ４２４の後、電気メス装置４３０は、図３３に示したように、Ｓ４３４の処理を行う。なお、この処理は、Ｓ４３２と同様の処理となるので、ここでは説明を省略する。
【０１６２】
図３３のＳ４３４の後、ビデオプロセッサ４１０ｂは、図３５に示したように、Ｓ４５７の処理を行う。なお、この処理は、図３０のＳ４０７と同様の処理となるので、ここでは説明を省略する。
【０１６３】
図３５のＳ４５７の後、タブレット型端末装置４４０は、図３１に示したように、Ｓ４１６の処理を行う。なお、この処理は、Ｓ４１３と同様の処理となるので、ここでは説明を省略する。
【０１６４】
このようにして、図３０のＳ４０８、図３１のＳ４１６、図３２のＳ４２４、図３３のＳ４３４、図３４のＳ４４２、及び図３５のＳ４５７が終了すると、本実施形態に係る医療用システム４００の動作例が終了する。
【０１６５】
以上、本実施形態に係る医療用システム４００によれば、故障等によりビデオプロセッサ４１０の交換が行われた場合に、交換後のビデオプロセッサ４１０ｂの状態（患者情報、検査情報、及び装置設定）を、交換前のビデオプロセッサ４１０ａの状態に自動的に復帰させることができる。また、故障等により周辺装置（光源装置４２０又は電気メス装置４３０）の交換が行われた場合にも同様に、交換後の周辺装置の状態（装置設定）を、交換前の周辺装置の状態に自動的に復帰させることができる。これにより、ユーザは、従来のような、交換後の装置（ビデオプロセッサ）に対する患者情報及び検査情報の再入力や、交換後の装置（ビデオプロセッサ、光源装置、電気メス装置）に対する再設定が不要となり、装置交換に伴うユーザの負担を軽減させることができる。また、検査中に装置交換が行われたとしても、交換前の検査と交換後の検査とを同一検査として取り扱うこともできるので、検査を継続することもできる。従って、従来のように、検査中の装置交換により検査が中断され、交換前の検査と交換後の検査とが別検査として取り扱われることもない。
【０１６６】
なお、本実施形態に係る医療用システム４００においては、各種の変形が可能である。
例えば、本実施形態に係る医療用システム４００において、ビデオプロセッサ４１０、光源装置４２０、及び電気メス装置４３０が載置されたトロリー４５０に限らず、複数の医療用装置が載置されるトロリーが複数設けられるようにしてもよい。この場合、タブレット型端末装置４４０は、例えば、トロリー毎にトロリー情報を記憶部４４２に記憶するようにしてもよい。
【０１６７】
また、本実施形態に係る医療用システム４００において、タブレット型端末装置３４０は、第１の実施形態で説明したクライアント端末装置１０としての機能も兼ね備えるようにしてもよい。
【０１６８】
以上、第１乃至第４の実施形態について説明したが、各実施形態において、医療用装置（ビデオプロセッサ、スコープ、光源装置、電気メス装置等）、クライアント端末装置、タブレット型端末装置、及びサーバ装置の各装置の動作は、例えば、各装置がＣＰＵ（Central Processing Unit）、ＲＯＭ（Read Only Memory）、ＲＡＭ（Random Access Memory）等のハードウェア構成を含み、ＲＯＭに格納されているプログラムがＲＡＭに格納されてＣＰＵにより実行されることによって実現される。また、そのプログラムは、例えば、ネットワーク（ネットワーク７０等）に接続される外部装置からＲＡＭに格納されてＣＰＵにより実行されるようにしてもよい。また、例えば、各装置が媒体読取装置等のハードウェア構成を更に含み、そのプログラムが、媒体読取装置にセットされた可搬型記録媒体からＲＡＭに格納されてＣＰＵにより実行されるようにしてもよい。この場合、可搬型記録媒体として、例えば、ＣＤ−ＲＯＭ（Compact Disc Read Only Memory）、フレキシブルディスク、光ディスク、光磁気ディスク、ＤＶＤ（Digital Versatile Disc）、ＵＳＢメモリなど様々な形式の記録媒体を使用することができる。
【０１６９】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更が可能である。
【符号の説明】
【０１７０】
１、２、３、    検査室
４              倉庫
５              中央材料室
６              サーバ室
１０            クライアント端末装置
２０            ビデオプロセッサ
３０            スコープ
４０、５０      周辺装置
６０            サーバ装置
６１            記憶部
６２            検出部
６３            決定部
７０            ネットワーク
１００          医療用システム
１０１、１０２  入力ボックス
１０３          プルダウンボックス
１０４、１０５  ボタン
１１１          入力ボックス
１１２          ボタン
１１３          プルダウンボックス
１１４、１２１  ボタン
１３１          ラジオボタン
１３２、１３３  ボタン
１４１          入力ボックス
１４２、１４３、１５１、１５２  ボタン
１６１、１６２  プルダウンボックス
１６３、１６４  ボタン
２００          医療用システム
２１０          ビデオプロセッサ
２１１          記憶部
２２０          光源装置
２３０          電気メス装置
２４０          サーバ装置
２４１          記憶部
２４２          更新部
２４３          比較部
２５０          トロリー
３００          医療用システム
３１０          ビデオプロセッサ
３１１          記憶部
３１２          ポータブルメモリ
３１３          更新部
３１４          比較部
３２０          光源装置
３３０          電気メス装置
３４０          トロリー
４００          医療用システム
４１０          ビデオプロセッサ
４１１          記憶部
４１２          ＲＦＩＤタグ
４２０          光源装置
４２１          ＲＦＩＤタグ
４３０          電気メス装置
４３１          ＲＦＩＤタグ
４４０          タブレット型端末装置
４４１          取得部
４４２          記憶部
４４３          更新部
４４４          比較部
４５０          トロリー
【要約】
複数の医療用装置、１つ以上のクライアント端末装置、及びサーバ装置を含む医療用システムにおいて、サーバ装置は、複数の医療用装置の装置名、所在地、及び使用予定日時を含む情報が記憶される記憶部と、医療用装置の故障を検出する検出部と、記憶部に記憶されている情報に基づいて、故障した医療用装置の代替装置となり得る代替医療用装置を決定する決定部とを備え、サーバ装置は、故障した医療用装置の装置名及び所在地を含む情報を１つ以上のクライアント端末装置に送信することや、代替医療用装置の装置名、所在地、及び使用可能日時を含む情報を、１つ以上のクライアント端末装置に送信すること等を行う。【図１】
0005865563.tif 000002
【図２】
0005865563.tif 000003
【図３】
0005865563.tif 000004
【図４】
0005865563.tif 000005
【図５】
0005865563.tif 000006
【図６】
0005865563.tif 000007
【図７】
0005865563.tif 000008
【図８】
0005865563.tif 000009
【図９】
0005865563.tif 000010
【図１０】
0005865563.tif 000011
【図１１】
0005865563.tif 000012
【図１２】
0005865563.tif 000013
【図１３】
0005865563.tif 000014
【図１４】
0005865563.tif 000015
【図１５】
0005865563.tif 000016
【図１６】
0005865563.tif 000017
【図１７】
0005865563.tif 000018
【図１８】
0005865563.tif 000019
【図１９】
0005865563.tif 000020
【図２０】
0005865563.tif 000021
【図２１】
0005865563.tif 000022
【図２２】
0005865563.tif 000023
【図２３】
0005865563.tif 000024
【図２４】
0005865563.tif 000025
【図２５】
0005865563.tif 000026
【図２６】
0005865563.tif 000027
【図２７】
0005865563.tif 000028
【図２８】
0005865563.tif 000029
【図２９】
0005865563.tif 000030
【図３０】
0005865563.tif 000031
【図３１】
0005865563.tif 000032
【図３２】
0005865563.tif 000033
【図３３】
0005865563.tif 000034
【図３４】
0005865563.tif 000035
【図３５】
0005865563.tif 000036